(57)【要約】【課題】組み立てた状態でも容易に移動でき、より簡易な構成でより容易に組み立てられ、より保冷性などに優れた形態の収納室ユニット及び簡易保冷庫を提供する。【解決手段】矩形のパレット１０と、そのパレット１０の角部１１に立設される４本の支柱状フレーム部２１、及びパレット１０の対角に位置する一対の支柱状フレーム部２１の上端の間に架け渡された形状に固定された梁状フレーム部２２の一対を備えることによって構成され、その一対の梁状フレーム部２２の交差部で回動して折り畳み可能に連結されて設けられているフレーム体２０と、パレット１０及びフレーム体２０によって区画される内側にフレーム体２０に固定されることで設置されるように、断熱シート３１によって設けられ、収納物が収納される内空間を形成するように直六面体に形成された断熱シート製収納室部３０とを備える。【選択図】図１
2020173074.tif 000002
【特許請求の範囲】
【請求項１】
荷物の搬送に用いられる矩形のパレットと、
該パレットの角部に立設される４本の支柱状フレーム部、及び前記パレットの対角に位置する一対の前記支柱状フレーム部の上端の間に架け渡された形状に固定された梁状フレーム部の一対を備えることによって構成され、該一対の梁状フレーム部の交差部で回動して折り畳み可能に連結されて設けられているフレーム体と、
前記パレット及び前記フレーム体によって区画される内側に該フレーム体に固定されることで設置されるように、断熱シートによって設けられ、収納物が収納される内空間を形成するように直六面体に形成された断熱シート製収納室部とを備えることを特徴とする収納室ユニット。
【請求項２】
請求項１に記載の収納室ユニットにおける前記断熱シート製収納室部の前記内空間が、冷却及び保冷されるスペースとして設けられ、
前記断熱シート製収納室部の側面に、冷風を循環させて冷却効率を高めるように、冷風発生冷却装置に接続される冷却空気導入口及び循環空気排出口が設けられていることを特徴とする簡易保冷庫。
【請求項３】
前記冷却空気導入口と前記循環空気排出口とが、一側面の上部に配されていることを特徴とする請求項２記載の簡易保冷庫。
【請求項４】
前記冷却空気導入口と前記循環空気排出口とを構成する接続体が、断熱シートによって筒状に形成されて冷風発生冷却装置と接続されるダクトが挿入される筒状部と該筒状部の一端側にフランジ状に形成された補強接続部とで構成される形態に設けられ、前記収納室ユニットの前記側面に形成されたそれぞれの空気開口縁部に前記補強接続部によって固定されるように設けられていることを特徴とする請求項２又は３記載の簡易保冷庫。
【発明の詳細な説明】
【技術分野】
【０００１】
この発明は、断熱シート製収納室部を備える収納室ユニット、及びその収納室ユニットの構成を備える簡易保冷庫に関する。
【背景技術】
【０００２】
従来の簡易保冷庫としては、例えば、冷却機を有する冷蔵庫の内部に、通気孔を有する小型のプラスチック製容器に収容した柑橘類を気密に覆う塩化ビニルシート製の方形状テント形の覆いをワイヤで吊り下げて設け、調整空気循環路には、冷却機および加湿機を備えた温・湿度調整装置を介在させ、これから通常の空気の温度および湿度を調整した調整空気を覆いの内部に供給するもので、モータで巻き上げ昇降可能なワイヤを覆いの下端に取り付け、覆いの下端を床面に接離させて、温度変化の小さい状態で覆いの内部の湿度を調整する（特許文献１参照）ものが提案されている。
【０００３】
また、従来の簡易保冷庫としては、例えば、パイプ状のフレーム体を組立・解体可能に構成し、組立状態で移動可能なパイプ状のフレーム体と、前記フレーム体を覆う気密性を有する外装断熱シートと、前記外装断熱シートの一側面に設けた出入口用の開閉機構と、前記外装断熱シートの覆う内部の空気は循環通路を通って循環させて冷却する冷却装置を設ける（特許文献２参照）ものが提案されている。
【先行技術文献】
【特許文献】
【０００４】
【特許文献１】特開平７−３２７５８９号公報（第１頁）
【特許文献２】特開２０１３−８８０４１号公報（第１頁）
【発明の概要】
【発明が解決しようとする課題】
【０００５】
収納室ユニット及び簡易保冷庫に関して解決しようとする問題点は、従来の形態では、組み立てた状態で容易に移動することが難しく、より簡易な構成でより容易に組み立てる形態やより保冷性などに優れた形態が提案されていないという点にある。
そこで、本発明の目的は、組み立てた状態でも容易に移動することができ、より簡易な構成でより容易に組み立てることができると共に、より保冷性などに優れた形態とすることができる収納室ユニット及び簡易保冷庫を提供することにある。
【課題を解決するための手段】
【０００６】
本発明は、上記目的を達成するために次の構成を備える。
本発明にかかる収納室ユニットの一形態によれば、荷物の搬送に用いられる矩形のパレットと、該パレットの角部に立設される４本の支柱状フレーム部、及び前記パレットの対角に位置する一対の前記支柱状フレーム部の上端の間に架け渡された形状に固定された梁状フレーム部の一対を備えることによって構成され、該一対の梁状フレーム部の交差部で回動して折り畳み可能に連結されて設けられているフレーム体と、前記パレット及び前記フレーム体によって区画される内側に該フレーム体に固定されることで設置されるように、断熱シートによって設けられ、収納物が収納される内空間を形成するように直六面体に形成された断熱シート製収納室部とを備える。
【０００７】
また、本発明にかかる簡易保冷庫の一形態によれば、上記の収納室ユニットにおける前記断熱シート製収納室部の前記内空間が、冷却及び保冷されるスペースとして設けられ、
前記断熱シート製収納室部の側面に、冷風を循環させて冷却効率を高めるように、冷風発生冷却装置に接続される冷却空気導入口及び循環空気排出口が設けられていることを特徴とすることができる。
【０００８】
また、本発明にかかる簡易保冷庫の一形態によれば、前記冷却空気導入口と前記循環空気排出口とが、一側面の上部に配されていることを特徴とすることができる。
【０００９】
また、本発明にかかる簡易保冷庫の一形態によれば、前記冷却空気導入口と前記循環空気排出口とを構成する接続体が、断熱シートによって筒状に形成されて冷風発生冷却装置と接続されるダクトが挿入される筒状部と該筒状部の一端側にフランジ状に形成された補強接続部とで構成される形態に設けられ、前記収納室ユニットの前記側面に形成されたそれぞれの空気開口縁部に前記補強接続部によって固定されるように設けられていることを特徴とすることができる。
【発明の効果】
【００１０】
本発明の収納室ユニット及び簡易保冷庫によれば、組み立てた状態でも容易に移動することができ、より簡易な構成でより容易に組み立てることができると共に、より保冷性などに優れた形態とすることができるという特別有利な効果を奏する。
【図面の簡単な説明】
【００１１】
【図１】本発明に係る収納室ユニットの構成を備える簡易保冷庫の形態例を示す斜視図である。
【図２】図１の形態例に係る接続体の固定形態例を示す断面図である。
【発明を実施するための形態】
【００１２】
以下、本発明に係る収納室ユニットの構成を備える簡易保冷庫の形態例について、添付図面（図１、２）に基づいて詳細に説明する。この簡易保冷庫は、断熱シート製収納室部を備えるもので、簡単に組み立て使用できると共に、簡単に解体されて搬送され、どこでも利用できるものである。
【００１３】
１０はパレットであり、荷物の搬送に用いられるように矩形に形成されている。
このパレット１０は、後述するようなフレーム体２０が着脱容易に設置される形態になっており、木製やプラスチック製の汎用性のある形状に設けられている。
【００１４】
また、２０はフレーム体であり、パレット１０の角部１１に立設される４本の支柱状フレーム部２１、及びパレット１０の対角に位置する一対の支柱状フレーム部２１、２１の上端２１ａ、２１ａの間に架け渡された形状に固定された梁状フレーム部２２の一対を備えることによって構成され、その一対の梁状フレーム部２２、２２の交差部２３で回動して折り畳み可能に連結されて設けられている。
このフレーム体２０を構成するものとしては、例えば、東京都港区海岸１−１４−２２の日通商事株式会社が販売する「パレットサポーター」を用いることができ、柱状フレーム部２１の下端にパレット１０の角部１１に嵌る装着部２１ｂが設けられている。
【００１５】
なお、フレーム体２０については、この形態に加えて、側面を形成する一対の支柱状フレーム部２１、２１同士を連結する横フレームによって、補強する構造としてもよい。また、フレーム体２０の上面に屋根の形状を構成するフレームを追加して、雨除けのシートを被せることができる形態とするなど、目的に合わせて適宜に構成を加えることができるのは勿論である。
【００１６】
また、３０は断熱シート製収納室部であり、パレット１０及びフレーム体２０によって区画される内側にそのフレーム体２０に固定されることで設置されるように、断熱シート３１によって設けられ、冷却及び保冷される内空間を形成するように直六面体に形成されている。すなわち、この内空間は、底面を含めて全面が断熱シート３１に覆われて、閉塞性があって断熱性（保冷性など）のある収納物が収納されるスペースとなっている。本形態例の断熱シート製収納室部３０は、フレーム体２０に、紐３６で縛って固定できるように設けられており、耐久性が高く、安価に提供できる構成になっている。なお、この固定手段としては、面ファスナーや、ホック又はボタン、ファスナー、バンド状の部材などの他の既存の固定手段を適宜選択的に利用できるのは勿論である。
【００１７】
そして、本形態例では、その断熱シート製収納室部３０の側面３２に、冷風を循環させて冷却効率を高めるように、冷風発生冷却装置４０に接続される冷却空気導入口３４及び循環空気排出口３５が設けられている。
【００１８】
この本発明に係る簡易保冷庫によれば、一般的なパレットを構成要素とする被移動体を移動・搬送させる場合と同じように、組み立てられた状態で、容易に移動・搬送させることができる。そして、本発明に係る断熱シート製収納室部３０は、直六面体であって底があることから、冷気が逃げることを好適に防止でき、保冷性能を向上させることができる。
【００１９】
さらに、本発明に係る断熱シート製収納室部３０は、断熱性があって外界と隔てられた収容空間（内空間）を形成することができる。このため、その断熱シート製収納室部３０による内空間は、保冷庫としての他に、例えば、ＨＥＰＡフィルタなどの空気清浄化フィルタを通して空気を循環させることで簡易的なクリーンルームを構成できる。また、断熱シート製収納室部３０は閉塞性のある内空間を構成できるため、消毒剤を用いる消毒室などの収納室として利用することも可能である。
【００２０】
また、本形態例では、冷却空気導入口３４と循環空気排出口３５とが、一側面３２の上部に配されている。このように、冷却空気導入口３４と循環空気排出口３５とが、直六面体の六面のうちの一つの側面３２に設けられていることで、図１に示すように、ダクト４１を長くすることなく、そのダクト４１で冷風発生冷却装置４０に接続され易い形態になっている。なお、図１に示すように、冷却空気導入口３４と循環空気排出口３５との配設位置は、供給された冷風がすぐに戻らないように、水平方向について所要の広い間隔を置いて設定されている。
【００２１】
さらに、冷却空気導入口３４から供給される冷風の流れが、その動圧によって、その冷却空気導入口３４から断熱シート製収納室部３０の水平方向の遠い部位へ流れて到達されるように供給される。そして、その冷風の流れは、冷たい空気であるため、その後下方へ沈降するように流れて対流することになる。また、冷却空気導入口３４と循環空気排出口３５とが、同一の側面３２に配されることから、冷却空気導入口３４の空気通路と、循環空気排出口３５の空気通路とが平行に配されることになる。このため、冷却空気導入口３４から出た直後の空気流は暖められた空気と混合されにくく、強制的に循環がされ易い構造になっている。そして、暖められて上昇された空気を、側面３２の上部に設けられた循環空気排出口３５から排出できる構造になっている。このため、本形態例によれば、冷風が好適に循環し、冷却効率を高めることができる。
【００２２】
また、本形態例では、冷却空気導入口３４と循環空気排出口３５とを構成する接続体３３が、断熱シート３１によって筒状に形成されて冷風発生冷却装置４０と接続されるダクトが挿入される筒状部３３ａとその筒状部３３ａの一端側にフランジ状に形成された補強接続部３３ｂとで構成される形態に設けられ、断熱シート製収納室部３０の側面３２に形成されたそれぞれの空気開口縁部３２ａに補強接続部３３ｂによって固定されるように設けられている。
【００２３】
すなわち、この接続体３３は、図２に示すように、補強接続部３３ｂが空気開口縁部３２ａに、接着又は縫合などの固着手段によって、空気開口縁部３２ａについて剛性を高めて補強した状態に、適切に連結・固定することができる。そして、この接続体３３は、柔軟性に富んだ断熱シートによって構成されているため、ダクト４１が挿入された筒状部３３ａの外周を紐３６で括ることで、ダクト４１と容易に接続することができる。なお、その接続固定手段は、紐３６に限らず、バンド状の部材や前述したような面ファスナーなどの既知の固定手段を応用できるのは勿論である。なお、ダクト４１としては、プラスチック製のフレキシブルチューブ状の空気流通管路を芯材として用いることができ、その芯材に断熱のための断熱材（断熱シートなど）を巻いた形態とすることができる。また、以上に記載した断熱シートとしては、例えば、厚みのある樹脂発泡シートの両面にアルミニウムが箔層状に蒸着や接着などでコーティングされた形態のもので、テント素材などとして利用されるものを用いることができる。さらに、断熱シートで構成される筒状部３３ａの内側に、例えば１０ミリ厚のスポンジシートを予め縫い付けておくことで、紐などで締めた際により気密シールが保持されるようにしてもよい。
【００２４】
また、５０は出入口であり、断熱シート製収納室部３０の側面の一面に設けられており、冷蔵される物の搬入・搬出のための開閉口になっている。この出入口５０としては、本形態例のようにファスナー５１で開閉できる構造とすることができる。
【００２５】
さらに、断熱シート製収納室部３０の内底には、補強などのための層状の部材（図示せず）を敷いた状態に配置することができる。これによれば、強度や耐久性、及び断熱性能を高めることができ、特に冷たい空気は断熱シート製収納室部３０の内空間の下層に溜まりやすいため、保冷性を効果的に向上できる。
【００２６】
また、本形態例では、図１に示すように、１２はキャスターであり、フレーム体２０の下端に装着されており、搬送性を向上できるようにオプションとして設けられている。なお、本形態例の冷風発生冷却装置４０についても、キャスターが装着されており、容易に移動・搬送できる構造になっている。なお、図１に示すような収納室ユニットを複数重ねして保管する場合には、通常のパレットとパレットサポーターの形態で重ねる場合と同様に、キャスター１２を取り外した形態とすれば良いのは勿論である。
【００２７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２８】
１０  パレット
１１  角部
１２  キャスター
２０  フレーム体
２１  支柱状フレーム部
２１ａ  上端
２１ｂ  装着部
２２  梁状フレーム部
２３  交差部
３０  断熱シート製収納室部
３１  断熱シート
３２  側面
３２ａ  空気開口縁部
３３  接続体
３３ａ  筒状部
３３ｂ  補強接続部
３４  冷却空気導入口
３５  循環空気排出口
３６  紐
４０  冷風発生冷却装置
４１  ダクト
５０  出入口
５１  ファスナー
【図１】
2020173074.tif 000003
【図２】
2020173074.tif 000004